(57)【特許請求の範囲】
【請求項１】
パウチ電池が結合されてなるパウチ型電池パックにおいて、
前記パウチ電池のうち隣接する２つのパウチ電池は、互いに一辺を接合して結合され、
前記２つのパウチ電池のうちの第１パウチ電池の一辺と、前記第１パウチ電池に対して相対的に上下が反転している第２パウチ電池の一辺が融着して接合され、
前記パウチ電池は、
四角形の底面、および前記底面の四辺に沿って形成された側面により形成される内部空間を有し、前記側面のうち少なくとも３つの側面に上端から外側に前記底面と平行に延長されたフランジが設けられた下部ケースと、
四角形のシート状に形成されて前記下部ケースのフランジにシーリングされる上部ケースと、を含み、
前記下部ケースと前記上部ケースのシーリング部位には、前記パウチ電池の一辺を融着する時に互いに接触した状態で融着される結合面が形成され、
前記結合面は、前記下部ケースのフランジにシーリングされずに外部に露出される、前記上部ケースの端部の面であり、
前記２つのパウチ電池は、面接触した状態で積層され、
前記積層されたパウチ電池の間に、複数の放熱孔が貫通するように形成された板状の放熱部材が設けられることを特徴とする、パウチ型電池パック。
【請求項２】
前記２つのパウチ電池の一辺は、接着部材が付着されて接合されたことを特徴とする、請求項１に記載のパウチ型電池パック。
【請求項３】
前記２つのパウチ電池の一辺は、端部で接触し、前記接着部材は前記接触部位に付着されたことを特徴とする、請求項２に記載のパウチ型電池パック。
【請求項４】
前記２つのパウチ電池の一辺は、互いに重複し、前記接着部材は前記重複部位の間に介在されたことを特徴とする、請求項２に記載のパウチ型電池パック。
【請求項５】
前記放熱部材は、前記パウチ電池との接触面と同一の面積であるか、または前記パウチ電池との接触面より小さな面積を有することを特徴とする、請求項１に記載のパウチ型電池パック。
【請求項６】
パウチ電池が結合されてなるパウチ型電池パックにおいて、
前記パウチ電池のうち隣接する２つのパウチ電池は、互いに一辺を接合して結合され、
前記２つのパウチ電池のうちの第１パウチ電池の一辺と、前記第１パウチ電池に対して相対的に上下が反転している第２パウチ電池の一辺が融着して接合され、
前記パウチ電池は、
四角形の底面、および前記底面の四辺に沿って形成された側面により形成される内部空間を有し、前記側面のうち少なくとも３つの側面に上端から外側に前記底面と平行に延長されたフランジが設けられた下部ケースと、
四角形のシート状に形成されて前記下部ケースのフランジにシーリングされる上部ケースと、を含み、
前記下部ケースと前記上部ケースのシーリング部位には、前記パウチ電池の一辺を融着する時に互いに接触した状態で融着される結合面が形成され、
前記結合面は、前記下部ケースのフランジにシーリングされずに外部に露出される、前記上部ケースの端部の面であり、
前記２つのパウチ電池は、面接触した状態で積層され、
前記積層されたパウチ電池の間に、内部に中空部が形成されて上下端が開放された直方体形状を有する板状の放熱部材が設けられることを特徴とする、パウチ型電池パック。
【請求項７】
前記放熱部材の中空部の内部には、複数の隔壁が設けられたことを特徴とする、請求項６に記載のパウチ型電池パック。
【請求項８】
前記２つのパウチ電池の接合部位に一側辺が接合された包装材をさらに含むことを特徴とする、請求項１に記載のパウチ型電池パック。
【請求項９】
前記包装材は、積層された状態の前記２つのパウチ電池を取り囲むことができる長さに形成されたことを特徴とする、請求項８に記載のパウチ型電池パック。
【発明の詳細な説明】
【技術分野】
【０００１】
本発明は、パウチ型電池パックに関し、より詳しくは、パウチ電池の電池パックの構成に好適なパウチ型電池パックに関する。
【背景技術】
【０００２】
一般に、二次電池は、電極組立体を収納するためのケースの外観形状によって円筒形電池、角形電池およびパウチ型電池に分けられる。
【０００３】
ここで、上記パウチ型二次電池の構成は、電極組立体と、電極組立体を包んで密封するパウチケースからなる。電極組立体は、正極板と負極板との間にセパレータを介在して積層または巻取して形成される。正極板と負極板には、それぞれ電極タブが溶接され、パウチケースの内部に電極組立体が収納された状態で、電極タブはパウチケースの外部に突出するように組立てられる。
【０００４】
パウチケースの構成は、電極組立体が収納可能な空間を有するケース本体と、ケース本体の一端から延長形成されてケース本体を覆うケースカバーからなる。ケース本体とケースカバーは、ケース本体の側部に形成されたフランジに上記ケースカバーがシーリングされて結合される。
【０００５】
一般に、単一のパウチ型二次電池として電池パックを形成する場合には、１つのパウチ電池に１つの保護回路が連結される。または、単一のパウチ型電池以外に大容量の電池が要求されるノート型ＰＣ機器などは、２つ以上の電池に対して１つの保護回路が備えられる。このように１つの保護回路に２つ以上の電池が備えられる場合に、パウチ電池は、上下に積層され、積層される電池の間には両面接着用テープを用いて接着する方式で固定される。
【発明の開示】
【発明が解決しようとする課題】
【０００６】
このように複数の電池が積層されて面と面が接着される従来のパウチ型電池パックには様々な問題がある。
【０００７】
従来では、電池パックの不良検出時に電池自体が不良でない場合でも、パックから電池を分離することになり、この時、両面接着用テープによりパウチが損傷して電池を再使用することができなくなるという問題がある。特に、電池パックを構成する電池が大容量の電池である場合にはこれによる費用損失が大きくなる。
【０００８】
また、従来の電池パックは、面と面を接着して積層された構造なので、電池から生じる高熱が電池間で直接伝達されて電池パックの温度が上昇する。さらに、電池の間の隙間がなくて放熱が行われにくいという問題がある。
【０００９】
本発明の目的は、複数個のパウチ電池が接着された電池パックから電池を分離する場合にベアセルの損傷を防止するようにしたパウチ型電池パックを提供することにある。
【００１０】
本発明の他の目的は、複数個のパウチ電池が密着または積層された状態で放熱性能を向上させるようにしたパウチ型電池パックを提供することにある。
【課題を解決するための手段】
【００１１】
上述の目的を達成するために本発明の一側面によれば、少なくとも２つのパウチ電池が結合されてなるパウチ型電池パックにおいて、パウチ電池のうち隣接する２つのパウチ電池は、互いに一辺を接合して結合されたパウチ型電池パックが提供される。
【００１２】
また、上記２つのパウチ電池の一辺は、融着して接合される。
【００１３】
また、上記パウチ電池は、四角形の底面、および底面の四辺に沿って形成された側面により形成される内部空間を有し、側面のうち少なくとも３つの側面に上端から外側に底面と平行に延長されたフランジが設けられた下部ケースと、四角形のシート状に形成されて下部ケースのフランジにシーリングされる上部ケースと、を含み、下部ケースと上部ケースのシーリング部位には、パウチ電池の一辺を融着する時に互いに接触した状態で融着される結合面が形成される。
【００１４】
この時、上記結合面は、下部ケースのフランジにシーリングされずに外部に露出される、上部ケースの端部の面である。
【００１５】
上記２つのパウチ電池の一辺は、接着部材が付着されて接合されてもよい。
【００１６】
また、上記２つのパウチ電池の一辺は、端部で接触し、接着部材は接触部位に付着されてもよい。
【００１７】
また、上記２つのパウチ電池の一辺は、互いに重複し、接着部材は重複部位の間に介在されてもよい。
【００１８】
上記２つのパウチ電池は、面接触した状態で積層されてもよい。
【００１９】
ここで、上記積層されたパウチ電池の間に放熱部材が設けられてもよい。
【００２０】
上記放熱部材は、板状に形成され、パウチ電池との接触面と同一の面積であるか、またはパウチ電池との接触面より小さな面積を有してもよい。
【００２１】
上記放熱部材は、複数の放熱孔が貫通するように形成されてもよい。
【００２２】
または、上記放熱部材は、複数の放熱溝がパウチ電池との接触面に形成されてもよい。
【００２３】
または、上記放熱部材は、内部に中空部が形成されて上下端が開放された直方体形状を有してもよい。
【００２４】
上記放熱部材の中空部の内部には、複数の隔壁が設けられてもよい。
【００２５】
一方、上記２つのパウチ電池の接合部位に一側辺が接合された包装材をさらに含んでもよい。
【００２６】
上記包装材は、積層された状態の２つのパウチ電池を取り囲むことができる長さに形成されてもよい。
【００２７】
本発明の他の側面によれば、１つのパウチ電池に少なくとも２つの電極組立体が各々に収納される少なくとも２つの内部空間が形成されたパウチ型電池パックが提供される。
【００２８】
上記パウチ電池は、直方体形状に形成された内部空間を有し、内部空間の四側面のうち少なくとも３つの側面に上端から外側に延長されたフランジが設けられた下部ケースと、下部ケースのフランジとシーリングされて内部空間を封止するシート状の上部ケースと、を含んでもよい。
【００２９】
また、上記下部ケースの内部空間で残り１つの側面上端は、上記上部ケースと一体に形成されてもよい。
【００３０】
また、上記パウチ電池は、互いに隣接する２つの内部空間同士の境界部位が折曲がって積層された２つのパウチ電池の形態を有してもよい。
【発明の効果】
【００３１】
本発明によるパウチ型電池パックにおいて、隣接する少なくとも２つのパウチ電池は、一辺を接合して結合された構造であるため、電池パックからパウチ電池を分離する場合、接合された一辺のみを分離することで、ベアセルを損傷させずに再使用することができるという利点がある。
【００３２】
また、本発明によるパウチ型電池パックは、パウチ電池が積層された状態で放熱性能を向上させることができる。特に、大容量の電池パックでの製品信頼度を向上させることができる。
【発明を実施するための最良の形態】
【００３３】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００３４】
以下、本発明の実施形態について図面に基づいて説明する。
【００３５】
図１は、本発明の一実施形態によるパウチ型電池パックの斜視図であり、図２は図１のＩＩ部の拡大図であり、図３は図１のＩＩＩ-ＩＩＩ線の断面図である。
【００３６】
図１〜図３に示すように、本発明の一実施形態によるパウチ型電池パック１００は、少なくとも２つのパウチ電池のうち互いに隣接する１つのパウチ１１０の一辺と他の１つのパウチ１２０の一辺を融着して接合する。
【００３７】
パウチ型電池パック１００は、複数個のパウチ電池を備えることができるが、説明の便宜上、２つのパウチ電池１１０、１２０のみを図示して本発明の一実施形態に適用されるパウチ電池の構成を先に説明する。
【００３８】
パウチ電池１１０、１２０は、ケースを構成するパウチの内部に電極組立体１１３、１２３が収納されて構成される。ここで、パウチは、下部ケース１１１、１２１と、下部ケース１１１、１２１を密封する上部ケース１１２、１２２により構成される。
【００３９】
下部ケース１１１、１２１は、電極組立体１１３、１２３が収納されるほぼ直方体の内部空間を有する。このような内部空間は、四角形の底面１１１ａ、１２１ａと、底面１１１ａ、１２１ａの四辺に沿って垂直に形成された４つの側面１１１ｂ、１２１ｂにより形成される。また、４つの側面１１１ｂ、１２１ｂのうち少なくとも３つの側面の上端には外側に底面１１１ａ、１２１ａと平行に延長されたフランジ１１１ｃ、１２１ｃが備えられる。上部ケース１１２、１２２は、四角形のシート状に形成されて四辺のうち三辺が下部ケースのフランジ１１１ｃ、１２１ｃとシーリングされて下部ケース１１１、１２１の内部空間を密閉する。
【００４０】
このようにそれぞれの下部ケース１１１、１２１の内部に電極組立体１１３、１２３が収納され、一対の電極タブ１１４、１１５、１２４、１２５が外部に突出する状態で上部ケース１１２、１２２が下部ケース１１１、１２１を密封してパウチ電池が構成される。
【００４１】
本発明の一実施形態は、第１パウチ電池１１０の一辺と、第１パウチ電池１１０に対して相対的にひっくり返っている第２パウチ電池１２０の一辺が融着されて接合される。このように一辺が接合された第１パウチ電池１１０と第２パウチ電池１２０は並列に連結される。２つのパウチ電池が融着して接合される部位は、パウチ電池の四辺のうち電極タブが引出される辺を除いた残りの辺で接合可能であるが、好ましくは左側または右側の長辺である。
【００４２】
第１パウチ電池１１０と第２パウチ電池１２０の一辺が融着されて接合された構造をより詳しく説明すると、次のようになる。
【００４３】
第１パウチ電池１１０の一辺は、上部ケース１１２の端の長さがシーリングされる下部ケース１１１のフランジ１１１ｃより短く形成される。従って、第１パウチ電池１１０の融着される一辺は下部ケース１１１のフランジ１１１ｃになる。このような下部ケース１１１のフランジ１１１ｃは、上部ケース１１２とシーリングされず、外部に露出される結合面１１１ｄが形成される。
【００４４】
また、第２パウチ電池１２０において、第１パウチ電池１１０の一辺と向い合う一辺は、上部ケース１２２の端の長さがシーリングされる下部ケース１２１のフランジ１２１ｃより短く形成される。従って、第２パウチ電池１２０で融着される一辺は下部ケース１２１のフランジ１２１ｃになる。また、下部ケース１２１のフランジ１２１ｃにも上部ケース１２２とシーリングされず、外部に露出される結合面１２１ｄが形成される。
【００４５】
それで、第１パウチ電池１１０の一辺で露出された結合面１１１ｄと第２パウチ電池１２０の一辺で露出された結合面１２１ｄが接触される。また、第１パウチ電池１１０の下部ケース１１１のフランジ１１１ｃと第２パウチ電池１２０の下部ケース１２１のフランジ１２１ｃが融着される。図３で、符号Ｂはシーリングブロックを示すものである。
【００４６】
図４は、本発明によるパウチ型電池パックの一実施形態に包装材をさらに含む構成を示した断面図である。
【００４７】
図４に示すように、第１パウチ電池１１０と第２パウチ電池１２０が接合される部位に包装材１３０をさらに接合するように構成される。
【００４８】
第１パウチ電池１１０のフランジ１１１ｃと第２パウチ電池１２０のフランジ１２１ｃの結合部位に包装材１３０の一辺１３０ａが融着される。包装材１３０の一辺１３０ａは、第２パウチ電池１２０のフランジ１２１ｃの下面に融着される。
【００４９】
第１パウチ電池１１０と第２パウチ電池１２０と共に一辺が接合された包装材１３０は、第１パウチ電池１１０と第２パウチ電池１２０の外部を取り囲むことができる長さに形成される。
【００５０】
図５は、本発明によるパウチ型電池パックの他の実施形態によるパウチ型電池パックの斜視図であり、図６は図５のＶＩ-ＶＩ線の断面図である。
【００５１】
図５および図６に示すように、本発明の他の実施形態によるパウチ型電池パック２００は、２つ以上のパウチ電池のうち隣接する１つのパウチ２１０の一辺と他の１つのパウチ２２０の一辺を接着部材２３０により接合する。
【００５２】
本発明の他の実施形態に適用される２つのパウチ電池２１０、２２０の形状と構造は、上述した一実施形態と実質的に同一であるため詳細な説明は省略する。ここで、本発明の他の実施形態によるパウチ電池の一辺には、本発明の一実施形態のように別途の結合面が形成されない。このような２つのパウチ電池２１０、２２０の一辺は、下部ケースのフランジと上部ケースの端が同一の長さで接触してシーリングされる。このようにシーリングされたパウチ電池２１０、２２０の一辺をそれぞれ符号２１５、２２５と称する。図面で、２１１、２２１は上部ケースを、２１２、２２２は下部ケースを、２１３、２２３は電極組立体を示す。
【００５３】
第１パウチ電池２１０の一辺２１５と第２パウチ電池２２０の一辺２２５では、端部が互いに接するように２つのパウチ電池２１０、２２０が位置される。
【００５４】
また、第１パウチ電池２１０の一辺２１５と第２パウチ電池２２０の一辺２２５が接する部位の上下面にそれぞれ接着用テープなどのような接着部材２３０が付着される。従って、第１パウチ電池２１０と第２パウチ電池２２０は、接着部材２３０によって一辺２１５、２２５が互いに接合されて２つのパウチ電池２１０、２２０は並列に結合される。
【００５５】
図７は、本発明の他の実施形態に対する変形例を示した断面図である。
【００５６】
図７に示すように、本発明の他の実施形態に対する変形例は、第１パウチ電池２１０の一辺２１５と第２パウチ電池２２０の一辺２２５が互いに重なるように２つのパウチ電池２１０、２２０が位置される。
【００５７】
また、第１パウチ電池２１０の一辺２１５と第２パウチ電池２２０の一辺２２５との間には、両面接着用テープなどのような接着部材２４０が介在される。このような接着部材２４０によって第１パウチ電池１１０と第２パウチ電池１２０の一辺２１５、２２５が互いに接合されて２つのパウチ電池２１０、２２０は並列に結合される。
【００５８】
図８は、本発明によるパウチ型電池パックのまた他の実施形態による斜視図であり、図９は図８のＩＸ-ＩＸ線の断面図である。
【００５９】
図８および図９に示すように、本発明のまた他の実施形態によるパウチ型電池パック３００は、１つのパウチ電池に少なくとも２つの電極組立体が収納される内部空間を形成して構成される。従って、少なくとも２つのパウチ電池を一体で形成したものと同一な構成を有する。
【００６０】
パウチ型電池パック３００において、パウチ電池３１０には、下部ケース３１１に２つのほぼ同様な体積を有する内部空間３１１ａ、３１１ｂが形成される。
【００６１】
下部ケース３１１に形成される内部空間３１１ａ、３１１ｂは、それぞれほぼ直方体に形成される。また、内部空間３１１ａ、３１１ｂの四側面のうち３つの側面の上端には、外側に延長されたフランジ３１１ｃ、３１１ｄが備えられる。上部ケース３１２は、四角形のシート形状に形成されて端部位が下部ケースのフランジ３１１ｃ、３１１ｄにシーリングされて内部空間３１１ａ、３１１ｂを封止するようになる。内部空間３１１ａ、３１１ｂの残り１つの側面の上端は、上部ケース３１２と一体に形成される。
【００６２】
内部空間３１１ａ、３１１ｂには、それぞれ電極組立体３１３、３１３'が収納され、電極組立体３１３、３１３'の電極タブ３１４、３１５、３１４'、３１５'がそれぞれ下部ケース３１１の外部に突出される。
【００６３】
図９に示すように、仮想線Ｚ-Ｚ'は、１つのパウチ電池に第１パウチ電池の領域３１０Ａと第２パウチ電池の領域３１０Ｂが形成された状態を区分して表示している。このような仮想線Ｚ-Ｚ'を中心に第１パウチ電池の領域３１０Ａに対して第２パウチ電池の領域３１０Ｂを矢印方向に折り曲げると、２つのパウチ電池が積層された状態のパウチ型電池パックの構造を具現するようになる。
【００６４】
図１０は、本発明の一実施形態によって一辺が融着して接合された２つのパウチ電池を積層させた状態の斜視図である。
【００６５】
第１パウチ電池１１０と第２パウチ電池１２０は、一辺が融着して接合されて並列に結合された状態で第２パウチ電池１２０を第１パウチ電池１１０の上部に折り曲げると、２つのパウチ電池１１０、１２０は上下に積層される。また、第１パウチ電池１１０の電極タブ１１４、１１５と第２パウチ電池１２０の電極タブ１２４、１２５を保護回路１４０に連結させてコアパックを構成するようにする。
【００６６】
このように積層された２つのパウチ電池１１０、１２０は、互いに分離されない状態で残り部品を組立てる作業を経て電池パックの組立が完了される。
【００６７】
図１１および図１２は、本発明によるパウチ型電池パックに適用される放熱構造について説明する。
【００６８】
図１１は、本発明の一実施形態によって積層された状態の２つのパウチ電池の放熱性能を向上させるための構造が示された断面図である。
【００６９】
図１１に示すように、パウチ型電池パック１００は、第１パウチ電池１１０の上部に第２パウチ電池１２０が積層され、２つのパウチ電池１１０、１２０の間には板状の放熱部材１５０が備えられる。
【００７０】
放熱部材１５０は、２つのパウチ電池１１０、１２０と接触される面と面積が同一であるか、それより小さな面積を有することが好ましい。放熱部材１５０の大きさが非常に大きい場合には、積層された状態のパウチ電池１１０、１２０から放熱部材が突出されて組立性を低下させてしまう。放熱部材１５０には、放熱孔１５０ａが複数貫通して形成される。
【００７１】
第１パウチ電池１１０と第２パウチ電池１２０との間に放熱部材１５０が備えられる場合、２つのパウチ電池１１０、１２０は放熱部材１５０の厚さの間隔で離隔される。また、２つのパウチ電池１１０、１２０は、放熱部材１５０によって互いに断てられるので、２つのパウチ電池１１０、１２０から発生さする熱が遮断されて隣接した電池に影響を及ぼさなくなる。 
【００７２】
また、放熱部材１５０に形成された放熱孔１５０ａを介して低温の空気が流動する。放熱孔１５０ａを介して流動する低温の空気は、第１パウチ電池１１０と第２パウチ電池１２０から発生する高熱との間で生じる熱交換により、２つのパウチ電池１１０、１２０の温度を低減させる。従って、パウチ型電池パック１００の放熱性能を向上させることができる。
【００７３】
図１２は、本発明の他の実施形態において、２つのパウチ電池が積層された状態の放熱性能を向上させるための構造を示した断面図である。
【００７４】
図１２に示すように、パウチ型電池パック２００は、第１パウチ電池２１０の上部に第２パウチ電池２２０が積層された状態で２つのパウチ電池２１０、２２０の間に板状の放熱部材２５０が備えられる。
【００７５】
第１パウチ電池２１０と第２パウチ電池２２０との間に介在された放熱部材２５０は、２つのパウチ電池２１０、２２０と接触される面と面積が同一であるか、それより小さな面積を有する。放熱部材２５０は、放熱孔２５０ａが複数貫通して形成される。
【００７６】
このような放熱部材２５０の形状および構造は、図１１に示すように、本発明の一実施形態による放熱部材１５０の形状および構造と実質的に同一であり、それによる作用効果も同一であるため詳細な説明は省略する。
【００７７】
本発明によるパウチ型電池パックに適用して実施できる放熱部材は、これに限定されるものではない。
【００７８】
従って、図１３ａ〜図１３ｃを参照して放熱部材の様々な他の実施形態について説明する。
【００７９】
図１３ａを参照して放熱部材の他の実施形態を説明すれば、放熱部材３５０は放熱板３５１の上面と下面にそれぞれ半円形状の放熱溝３５２、３５３が形成される。このような放熱溝３５２、３５３は、放熱板３５１の上面または下面のうちいずれか一面のみまたは、いずれか特定方向のみに形成される。また、放熱溝３５２、３５３の断面形状は半円以外に三角形、四角形または多角形などで形成される。
【００８０】
このような放熱溝３５２、３５３は、放熱部材３５０が２つのパウチ電池と接触される面である対面または下面に形成されるので、放熱溝３５２、３５２を通過する外気と２つのパウチ電池から発生する熱との間で熱交換が生じる。従って、２つのパウチ電池の温度を低減させる。
【００８１】
図１３ｂを参照して放熱部材のまた他の実施形態を説明すれば、放熱部材４５０は内部に中空部４５２が形成されて上下端が開放された直方体形状の放熱板４５１として形成される。このような放熱部材４５０は、中空部４５２を介して外部の低温空気の流動量が増加するので、放熱板４５１の上下面に面接触した２つのパウチ電池の温度を低減させる。
【００８２】
図１３ｃを参照して放熱部材のまた他の実施形態を説明すれば、放熱部材５５０は内部に中空部５５２が形成されて上下端が開放された直方体形状の放熱板５５１として形成される。更に、中空部５５２の内部には複数の隔壁５５３が備えられて中空部５５２の内部空間を区画する。隔壁５５３は、中空部５５２を通過する外部空気の流れを案内して外気の円滑な流動を促す。従って、放熱板５５１の上下面に面接触された２つのパウチ電池の温度を低減させる。
【００８３】
本発明に適用できる放熱部材は、上述の実施形態以外にもより多様に変形および修正可能である。
【００８４】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００８５】
【図１】本発明の一実施形態によるパウチ型電池パックの斜視図である。
【図２】図１のＩＩ部の拡大図である。
【図３】図１のＩＩＩ-ＩＩＩ線の断面図である。
【図４】本発明の一実施形態に包装材が含まれたパウチ型電池パックの断面図である。
【図５】本発明の他の実施形態によるパウチ型電池パックの斜視図である。
【図６】図５のＶＩ-ＶＩ線の断面図である。
【図７】本発明の他の実施形態による変形例の断面図である。
【図８】本発明のまた他の実施形態によるパウチ型電池パックの斜視図である。
【図９】図８のＩＸ-ＩＸ線の断面図である。
【図１０】本発明の一実施形態による２つのパウチ電池が積層された状態の斜視図である。
【図１１】本発明の一実施形態によるパウチ型電池パックの放熱構造を示した断面図である。
【図１２】本発明の他の実施形態によるパウチ型電池パックの放熱構造を示した断面図である。
【図１３ａ】本発明による放熱部材の実施形態を示した斜視図である。
【図１３ｂ】本発明による放熱部材の実施形態を示した斜視図である。
【図１３ｃ】本発明による放熱部材の実施形態を示した斜視図である。
【符号の説明】
【００８６】
１００、２００、３００    パウチ型電池パック
１１０、２１０    第１パウチ電池
１２０、２２０    第２パウチ電池
１１１、２１１    下部ケース
１１１a、２１１a    底面
１１１ｂ、２１１ｂ    側面
１１１ｃ、２１１ｃ    フランジ
１１２、２２２    上部ケース
１３０    包装材
２３０、２４０    接着部材
１５０、２５０、３５０、４５０、５５０    放熱部材
１５０ａ、２５０ａ    放熱孔
３５２、３５３    放熱溝
３５１、４５１、５５１    放熱板
４５２、５５２    中空孔
５５３    隔壁
【図１】
0005203743.tif 000002
【図２】
0005203743.tif 000003
【図３】
0005203743.tif 000004
【図４】
0005203743.tif 000005
【図５】
0005203743.tif 000006
【図６】
0005203743.tif 000007
【図７】
0005203743.tif 000008
【図８】
0005203743.tif 000009
【図９】
0005203743.tif 000010
【図１０】
0005203743.tif 000011
【図１１】
0005203743.tif 000012
【図１２】
0005203743.tif 000013
【図１３ａ】
0005203743.tif 000014
【図１３ｂ】
0005203743.tif 000015
【図１３ｃ】
0005203743.tif 000016